(57)【特許請求の範囲】
【請求項１】
遊技球を発射する発射装置のモータ駆動検出信号に基づいて稼働時間を計測する計測装置を備えたパチンコ機と、前記計測装置に接続され、前記計測装置の稼働時間を送信する中継装置と、該中継装置に接続された店舗端末と、該店舗端末と接続されたサーバと、を備えたパチンコ機構成部品の使用可否判別装置であって、
該サーバは、前記パチンコ機に取り付けられる各構成部品について、予め交換すべき時間を定め、該交換すべき時間を交換すべき時間テーブルとして記憶装置に記憶し、
前記計測装置が取り付けられた前記発射装置の前記計測装置から送信された稼働時間、
及び、前記計測装置が取り付けられていない前記発射装置以外の構成部品については前記発射装置の所定の稼働時間に対して前記発射装置以外の構成部品が平均的に稼働される時間の比率に基づく係数を前記発射装置の前記計測装置を経て前記中継装置から送信された前記稼働時間に掛けた前記発射装置以外の構成部品の稼働時間と、
前記交換すべき時間テーブルとを比較して、
前記各構成部品が交換すべきか否かを中央演算処理装置で判別することを特徴とするパチンコ機構成部品の使用可否判別装置。
【請求項２】
遊技球を発射する発射装置のモータ駆動検出信号に基づいて稼働時間を計測する計測装置を備えたパチンコ機と、前記計測装置に接続され、前記計測装置の稼働時間を送信する中継装置と、該中継装置に接続された店舗端末と、該店舗端末と接続されたサーバと、を備えたパチンコ機構成部品の使用可否判別装置であって、
該サーバは、前記パチンコ機に取り付けられる各構成部品について、予め交換すべき時間を定め、該交換すべき時間を交換すべき時間テーブルとして記憶装置に記憶し、
前記計測装置が取り付けられた前記発射装置の前記計測装置から送信された稼働時間、
及び、前記計測装置が取り付けられていない前記発射装置以外の構成部品については前記発射装置の所定の稼働時間に対して前記発射装置以外の構成部品が平均的に稼働される時間の比率に基づく係数を前記発射装置の前記計測装置を経て前記中継装置から送信された前記稼働時間に掛けた前記発射装置以外の構成部品の稼働時間と、
前記交換すべき時間テーブルとを比較して、
前記各構成部品が使用可能時間を超えたら中央演算処理装置で警告出力することを特徴とするパチンコ機構成部品の使用可否判別装置。
【請求項３】
パチンコ機の遊技球を発射する発射装置の駆動モータの駆動時間からパチンコ機の前記発射装置の稼働時間、
及び、前記発射装置以外の構成部品については前記発射装置の所定の稼働時間に対して前記発射装置以外の構成部品が平均的に稼働される時間の比率に基づく係数を、前記発射装置のモータ駆動検出信号に基づいて稼働時間を計測する計測装置から送信された前記稼働時間に掛けた前記発射装置以外の構成部品の稼働時間を求め、予めパチンコ機の前記各構成部品について使用可能時間と該使用可能時間より少ない時間の交換すべき時間を定めてサーバの記憶装置に記憶し、
前記発射装置の稼働時間、及び、前記発射装置以外の構成部品の稼働時間と、前記交換すべき時間を比較し、
前記発射装置の稼働時間及び前記発射装置以外の構成部品の稼働時間と前記使用可能時間を比較し、前記比較した結果に基づいて使用可否の判別処理を行う中央演算装置を設けた、ことを特徴とするパチンコ機構成部品の使用可否判別処理システム。
【請求項４】
パチンコ機に取り付けられた遊技球発射装置のモータ駆動検出信号を検出するセンサと、該センサからのモータ駆動検出信号に基づいて駆動モータの稼働時間を計測する計測装置とを備えたパチンコ機と、
前記計測装置に接続され前記計測装置の計測値を送信する中継装置と、
該中継装置に接続された店舗端末とを備えるとともに、
該店舗端末と回線接続されたサーバであって、前記パチンコ機に取り付けられる各構成部品について予め定められた交換すべき時間を記憶した交換すべき時間テーブルが記憶された記憶装置と、
前記計測装置を経て前記中継装置から送信された計測値に基づく稼働時間、
及び、前記発射装置以外の構成部品については前記発射装置の所定の稼働時間に対して前記発射装置以外の構成部品が平均的に稼働される時間の比率に基づく係数を、前記発射装置の前記計測装置から送信された前記稼働時間に掛けた前記発射装置以外の構成部品の稼働時間と、
前記交換すべき時間テーブルとを比較して、
前記各構成部品が使用可能か否かを判別する処理を行う中央処理装置と、を有するサーバと、
を備えたことを特徴とするパチンコ機構成部品の使用可否判別処理システム。
【請求項５】
店舗に設置されたパチンコ機に取り付けられる各構成部品について予め定められた交換すべき時間を記憶した交換すべき時間テーブルが記憶された記憶装置と、
発射装置の稼働時間、
及び、発射装置以外の構成部品については前記発射装置の所定の稼働時間に対して前記発射装置以外の構成部品が平均的に稼働される時間の比率に基づく係数を、前記発射装置のモータ駆動検出信号に基づいて稼働時間を計測する計測装置を経て中継装置から送信された前記稼働時間に掛けた前記発射装置以外の構成部品の稼働時間と、
前記交換すべき時間テーブルとを比較して、
前記各構成部品が使用可能か否かを判別する処理を行う中央処理装置と、を有するサーバに回線接続され、
パチンコ機に取り付けられた遊技球発射装置のモータ駆動検出信号を検出するセンサと、該センサからのモータ駆動検出信号に基づいて駆動モータの稼働時間を計測する計測装置とを備えたパチンコ機と、
前記計測装置に接続され前記計測装置の計測値を送信する中継装置と、
該中継装置に接続された店舗端末と、を備えたことを特徴とするパチンコ機構成部品の使用可否判別処理クライアントシステム。
【請求項６】
パチンコ機に取り付けられた遊技球発射装置のモータ駆動検出信号を検出するセンサが前記遊技球発射装置に取り付けられ、該センサからのモータ駆動検出信号に基づいて駆動モータの稼働時間を計測する計測装置が前記センサに接続され、該計測装置に接続された中継装置を介して接続された店舗端末に回線接続されたサーバを有するパチンコ機構成部品の使用可否判別処理サーバシステムであって、
該サーバは、前記パチンコ機に取り付けられる各構成部品について予め定められた交換すべき時間を記憶した交換すべき時間テーブルが記憶された記憶装置と、
前記計測装置を経て中継装置から送信された稼働時間、
及び、発射装置以外の構成部品については前記発射装置の所定の稼働時間に対して前記発射装置以外の構成部品が平均的に稼働される時間の比率に基づく係数を、前記発射装置の前記計測装置から送信された前記稼働時間に掛けた前記発射装置以外の構成部品の稼働時間と、
前記交換すべき時間テーブルとを比較して、
前記各構成部品が使用可能か否かを判別する処理を行う中央処理装置と、を有することを特徴とするパチンコ機構成部品の使用可否判別処理サーバシステム。
【請求項７】
前記センサは、磁気ピックアップ装置であることを特徴とする請求項４から請求項６までのいずれかに記載のパチンコ機構成部品の使用可否判別処理システム、パチンコ機構成部品の使用可否判別処理クライアントシステム又はパチンコ機構成部品の使用可否判別処理サーバシステム。
【発明の詳細な説明】
【０００１】
【発明の属する技術分野】
本発明は、パチンコ機等の遊技機の構成部品の使用の可否を判別する処理システムに関する。
【０００２】
【従来の技術】
パチンコ機は、製造メーカ或いは販売代理店であるパチンコ機供給業者から遊技店を有するパチンコ機設置業者がパチンコ機を島単位、或いは台数を決めて購入していた。新しい機種のパチンコ機を遊技店に設置する場合、今まで設置していたパチンコ機を島から外し、該パチンコ機を使用済みパチンコ機としてパチンコ機設置業者が廃棄していた。パチンコ機設置業者は、上記新機種のパチンコ機の入れ替えを約２〜４ヶ月に１回程度の頻度で行い、使用済みパチンコ機を産業廃棄物、若しくは一般廃棄物として廃棄していた。
【０００３】
パチンコ機は、木材、ガラス、金属、熱可塑性・熱硬化性の合成樹脂、電子部品、電線等種々の材料から製造されており、使用済みパチンコ機を廃棄する場合にはある程度解体する必要があり、解体処理業者に費用を支払って解体、廃棄を委託している。しかし、パチンコ機設置業者が責任のある解体処理業者を選別することは難しく、使用済みパチンコ機を野積みして放置する解体処理業者もあった。
【０００４】
近時、上記の問題を解決するために、パチンコ機供給業者が新機種のパチンコ機を販売した時に、使用済みパチンコ機を引き取り、自らの費用で廃棄処分をすることも行われている。しかし、使用済みパチンコ機そのものを産業廃棄物、一般廃棄物として廃棄することに変わりはなく、使用済みパチンコ機において部品をリユースすることはあまり考慮されていない。また、パチンコ機の新機種といっても、遊技者が実際に遊技球を発射してゲームを行う盤面部とガラス扉、上受け皿、下受け皿、発射レバーのデザインが変更されるくらいで、その他の部分は従来のパチンコ機と同様の構成である。にもかかわらず、パチンコ機の製造は常に新しい材料で部品を製作し、組み立てられるために、パチンコ機の価格の低減ができないという問題がある。更に、年間３００万台以上生産されるパチンコ機で、リユースされることがほとんど無く、資源の有効利用が図られないため、廃棄物の発生を抑えられないという大きな問題も生じている。
【０００５】
ところで、このようなパチンコ機のリユースとしては、従来、あらかじめ定められた所定時間以上遊技に提供された後（具体的には、パチンコ機を設置する店舗の営業日数等から算出する。）には、機枠ごと島設備から取り外され、分解されてその部品の一部がリユース（再利用）されるか、又は廃棄される。また、島設備にはあらためて別のパチンコ機が設置されて交換されることとなる。なお、出願人は、上記したような先行技術が具体的に記載された文献については現時点では関知していない。
【０００６】
【発明が解決しようとする課題】
しかしながら、このような従来のパチンコ機においては、上記したように店舗の営業日数等から計算した時間が、あらかじめ定められた所定時間を経過した場合に、リユースや廃棄等の時期を判断することとしており、実際にパチンコ機が使用された時間に基づいてその時期を判断することとはしていない。例えば、通常のパチンコ機では、その使用可能時間（耐久時間）を約２万時間と定め、これを越える場合は島設備から取り外して、廃棄等の処理を行うこととしている。
【０００７】
したがって、例えば、店舗の営業日数に対して、当該パチンコ機が遊技に使用された時間が比較的少ない場合など、パチンコ機自体やその部品が未だ使用可能時間内であっても、当該パチンコ機や部品について廃棄処理すべきと判断されて廃棄されてしまい、産業廃棄物処理としてのパチンコ機の部品の再利用を妨げる要因の一つとなっていた。また、設置されてから比較的短い時間でパチンコ機が交換され、まだ使用可能時間内であると思われても、正確な稼働時間が把握できていないために廃棄せざるを得ず、再利用を妨げることともなっていた
【０００８】
また逆に、店舗の営業日数に対して、当該パチンコ機や部品が遊技に使用された時間が比較的多い場合など、使用可能時間を既に経過しているような場合であっても、当該パチンコ機や部品について廃棄処理すべき時期と判断されずに継続して使用されてしまうこともあり、交換すべき部品等を使用し続けたためにパチンコ機に不具合が生じてしまう場合がある。特に、パチンコ機の部品をリユースして再度別のパチンコ機に使用している場合、当該パチンコ機の稼働時間はそれほど長くなくても、部品の通算稼働時間がその使用可能時間を超えてしまったりすることがある。
【０００９】
本発明は上記した従来のパチンコ機の使用可否の処理システムの問題点を解消するものであり、パチンコ機の稼働時間をより正確に判別し、円滑に無駄なくリユースを行うことを目的とする。また、パチンコ機の部品について、使用可能時間を超えたりした交換すべき部品を容易に選別処理することを目的とする。
【００１０】
【課題を解決するための手段】
以上の課題を解決するために、本発明の採った手段を以下に説明する。本発明のパチンコ機構成部品の使用可否判別処理装置は、
遊技球を発射する発射装置のモータ駆動検出信号に基づいて稼働時間を計測する計測装置を備えたパチンコ機と、前記計測装置に接続され、前記計測装置の稼働時間を送信する中継装置と、該中継装置に接続された店舗端末と、該店舗端末と接続されたサーバと、を備えたパチンコ機構成部品の使用可否判別装置であって、
該サーバは、前記パチンコ機に取り付けられる各構成部品について、予め交換すべき時間を定め、該交換すべき時間を交換すべき時間テーブルとして記憶装置に記憶し、
前記計測装置が取り付けられた前記発射装置の前記計測装置から送信された稼働時間、
及び、前記計測装置が取り付けられていない前記発射装置以外の構成部品については前記発射装置の所定の稼働時間に対して前記発射装置以外の構成部品が平均的に稼働される時間の比率に基づく係数を前記発射装置の前記計測装置を経て前記中継装置から送信された前記稼働時間に掛けた前記発射装置以外の構成部品の稼働時間と、
前記交換すべき時間テーブルとを比較して、
前記各構成部品が交換すべきか否かを中央演算処理装置で判別することを特徴とするものである（請求項１）。
【００１１】
遊技球発射装置は、パチンコ機の実際の稼働時間（遊技者が遊戯している時間）内には、ほぼ駆動されている。よって、遊技球発射装置の駆動モータの稼働時間を計測することにより、当該駆動モータが組み込まれたパチンコ機の稼働時間をより正確に把握できることとなる。したがって、このように遊技球発射装置のモータ駆動検出信号に基づいて稼働時間を計測する計測装置を取り付けることにより、駆動モータの稼働時間から構成部品の稼働時間を正確に把握することができる。この駆動モータの稼働時間を計数装置により計測し、中継装置を経て店舗端末を経由し、店舗端末と回線接続されたサーバ側で、構成部品の使用可否の判別処理を行う。サーバには各構成部品の交換すべき時間を記憶した交換すべき時間テーブルが記憶された記憶装置が備えられている。ここで「交換すべき時間」とは、部品等の使用可能時間よりも短く設定され、使用可能時間までは一定の余裕をもってその部品を交換する必要のあるものとみなす時間をいう。また、「使用可能時間」とは、部品等の耐久時間をいう。センサから送信された稼働時間をこの交換すべき時間テーブルと比較することにより、各構成部品が交換すべき時間に達しているか否かを判別することができる。この判別処理に基づいて、各店舗の各パチンコ機毎に当該パチンコ機を交換すべき時期を判断できる。また、交換され取り外されたパチンコ機の構成部品については、センサからの稼働時間を基にして、構成部品毎にリユース可能か廃棄すべきかを判別できるので、パチンコ機構成部品の再利用が促進され、不必要な資源廃棄が行われ難い。
【００１２】
また、パチンコ機構成部品の使用可否判別装置として、
遊技球を発射する発射装置のモータ駆動検出信号に基づいて稼働時間を計測する計測装置を備えたパチンコ機と、前記計測装置に接続され、前記計測装置の稼働時間を送信する中継装置と、該中継装置に接続された店舗端末と、該店舗端末と接続されたサーバと、を備えたパチンコ機構成部品の使用可否判別装置であって、
該サーバは、前記パチンコ機に取り付けられる各構成部品について、予め交換すべき時間を定め、該交換すべき時間を交換すべき時間テーブルとして記憶装置に記憶し、
前記計測装置が取り付けられた前記発射装置の前記計測装置から送信された稼働時間、
及び、前記計測装置が取り付けられていない前記発射装置以外の構成部品については前記発射装置の所定の稼働時間に対して前記発射装置以外の構成部品が平均的に稼働される時間の比率に基づく係数を前記発射装置の前記計測装置を経て前記中継装置から送信された前記稼働時間に掛けた前記発射装置以外の構成部品の稼働時間と、
前記交換すべき時間テーブルとを比較して、
前記各構成部品が使用可能時間を超えたら中央演算処理装置で警告出力するものとすることもできる（請求項２）。
【００１３】
このように構成部品について使用可能時間を予め定め、使用可能時間テーブルと稼働時間とを比較して、使用可能時間を超えた構成部品については警告出力することにより、交換部品の選別処理を円滑に行うことができる。
【００１４】
また、パチンコ機構成部品の使用可否判別処理システムとして、
パチンコ機の遊技球を発射する発射装置の駆動モータの駆動時間からパチンコ機の前記発射装置の稼働時間、
及び、前記発射装置以外の構成部品については前記発射装置の所定の稼働時間に対して前記発射装置以外の構成部品が平均的に稼働される時間の比率に基づく係数を、前記発射装置のモータ駆動検出信号に基づいて稼働時間を計測する計測装置から送信された前記稼働時間に掛けた前記発射装置以外の構成部品の稼働時間を求め、予めパチンコ機の前記各構成部品について使用可能時間と該使用可能時間より少ない時間の交換すべき時間を定めてサーバの記憶装置に記憶し、
前記発射装置の稼働時間、及び、前記発射装置以外の構成部品の稼働時間と、前記交換すべき時間を比較し、
前記発射装置の稼働時間及び前記発射装置以外の構成部品の稼働時間と前記使用可能時間を比較し、前記比較した結果に基づいて使用可否の判別処理を行う中央演算装置を設けるものとすることもできる（請求項３）。このパチンコ機使用可否判別装置にあっては、パチンコ機稼働時間を交換すべき時間テーブルと使用可能時間テーブルの両テーブルと比較し、より詳細に確実に構成部品の使用可否判断を行い、機器のトラブルを未然に防止し、有効にリユースを行い、店舗、メーカに機器の交換可否状況が公衆回線等で知らせることが可能となる。
【００１５】
また、パチンコ機構成部品の使用可否判別処理システムとして、
パチンコ機に取り付けられた遊技球発射装置のモータ駆動検出信号を検出するセンサと、該センサからのモータ駆動検出信号に基づいて駆動モータの稼働時間を計測する計測装置とを備えたパチンコ機と、
前記計測装置に接続され前記計測装置の計測値を送信する中継装置と、
該中継装置に接続された店舗端末とを備えるとともに、
該店舗端末と回線接続されたサーバであって、前記パチンコ機に取り付けられる各構成部品について予め定められた交換すべき時間を記憶した交換すべき時間テーブルが記憶された記憶装置と、
前記計測装置を経て前記中継装置から送信された計測値に基づく稼働時間、
及び、前記発射装置以外の構成部品については前記発射装置の所定の稼働時間に対して前記発射装置以外の構成部品が平均的に稼働される時間の比率に基づく係数を、前記発射装置の前記計測装置から送信された前記稼働時間に掛けた前記発射装置以外の構成部品の稼働時間と、
前記交換すべき時間テーブルとを比較して、
前記各構成部品が使用可能か否かを判別する処理を行う中央処理装置と、を有するサーバと、
を備えたものとすることもできる（請求項４）。
【００１６】
また、パチンコ機構成部品の使用可否判別処理クライアントシステムとして、
店舗に設置されたパチンコ機に取り付けられる各構成部品について予め定められた交換すべき時間を記憶した交換すべき時間テーブルが記憶された記憶装置と、
発射装置の稼働時間、
及び、発射装置以外の構成部品については前記発射装置の所定の稼働時間に対して前記発射装置以外の構成部品が平均的に稼働される時間の比率に基づく係数を、前記発射装置のモータ駆動検出信号に基づいて稼働時間を計測する計測装置を経て中継装置から送信された前記稼働時間に掛けた前記発射装置以外の構成部品の稼働時間と、
前記交換すべき時間テーブルとを比較して、
前記各構成部品が使用可能か否かを判別する処理を行う中央処理装置と、を有するサーバに回線接続され、
パチンコ機に取り付けられた遊技球発射装置のモータ駆動検出信号を検出するセンサと、該センサからのモータ駆動検出信号に基づいて駆動モータの稼働時間を計測する計測装置とを備えたパチンコ機と、
前記計測装置に接続され前記計測装置の計測値を送信する中継装置と、
該中継装置に接続された店舗端末と、を備えたものとすることもできる（請求項５）。
【００１７】
また、パチンコ機構成部品の使用可否判別処理サーバシステムとして、
パチンコ機に取り付けられた遊技球発射装置のモータ駆動検出信号を検出するセンサが前記遊技球発射装置に取り付けられ、該センサからのモータ駆動検出信号に基づいて駆動モータの稼働時間を計測する計測装置が前記センサに接続され、該計測装置に接続された中継装置を介して接続された店舗端末に回線接続されたサーバを有するパチンコ機構成部品の使用可否判別処理サーバシステムであって、
該サーバは、前記パチンコ機に取り付けられる各構成部品について予め定められた交換すべき時間を記憶した交換すべき時間テーブルが記憶された記憶装置と、
前記計測装置から送信された稼働時間、
及び、発射装置以外の構成部品については前記発射装置の所定の稼働時間に対して前記発射装置以外の構成部品が平均的に稼働される時間の比率に基づく係数を、前記発射装置の前記計測装置を経て中継装置から送信された前記稼働時間に掛けた前記発射装置以外の構成部品の稼働時間と、
前記交換すべき時間テーブルとを比較して、
前記各構成部品が使用可能か否かを判別する処理を行う中央処理装置と、を有するものとすることもできる（請求項６）。
【００１８】
また、前記センサは、磁気ピックアップ装置であることを特徴とする請求項４から請求項６までのいずれかに記載のパチンコ機構成部品の使用可否判別処理システム、パチンコ機構成部品の使用可否判別処理クライアントシステム又はパチンコ機構成部品の使用可否判別処理サーバシステムとすることができる（請求項７）。
【００１９】
モータを駆動するための磁力はかなり大きいため、その駆動の際の磁力を容易に把握でき、他のセンサ、例えば振動ピックアップ装置に比べて、その駆動を正確に計測できる。特に、振動、静電気、音声などのレベルが高いパチンコ機ではこれらの振動等を計測するよりも、より正確に計測が可能である。よって、構成部品の稼働時間の正確な把握に有効である。
【００２０】
【発明の実施の形態】
次に、本発明の実施の形態を図を参考にして詳細に説明する。図１はパチンコ遊技機１０が複数台設置される島設備１全体の正面図、図２はパチンコ遊技機１０の正面図、図３はセット板４６を開放した状態のパチンコ遊技機１０内部背面図、図４はセット板４６を閉めた状態のパチンコ遊技機１０の内部背面図、図５は磁気ピックアップ装置を駆動信号線に取り付けた駆動モータの斜視図、図６はクライアント側システムのブロック図、図７は振動ピックアップ装置を取り付けた駆動モータの斜視図、図８はサーバ側システムのブロック図、図９はパチンコ機のデータ登録処理のフローチャート、図１０はパチンコ機のリユース処理のフローチャート、図１１はパチンコ機の警告表示処理のフローチャート、図１２はパチンコ機の別のデータ登録処理のフローチャート、図１３はリユース処理と警告表示処理を併せて行う全判断処理のフローチャートである。
【００２１】
図１に示すように、本発明のパチンコ機１０は、店舗内の島設備１に複数以上の台が並べられて設置されている。これらのパチンコ機１０から排出された遊技球は、島設備１の内部下方の球回収樋２により搬送されて、球揚送装置３に集められる。次いで、この遊技球は、球揚送装置３において研磨剤と共に研磨されながら島設備１上部の球タンク４に揚送される。そしてこの球タンク４から、球補給樋５を経て各パチンコ機１０に遊技球が補給される。
【００２２】
次いでパチンコ遊技機１０について説明する。図２に示すように、パチンコ遊技機１０には、その前面側に取り付けられた略矩形の枠状の前面枠１２と、前面枠１２の上側寄りに前面方向に開閉自在に装着されたガラス扉枠１４と、このガラス扉枠１４の裏面側に配設されるとともに前面枠１２の裏面に着脱可能に装着された遊技盤１６とが設けられている。
【００２３】
また、遊技盤１６の外縁寄りには、後述する遊技球発射装置１８から発射された遊技球を誘導するガイドレール２０が設けられ、この該ガイドレール２０によって囲まれた遊技領域２２が設けられている。この遊技領域２２のほぼ中央には、特別図柄表示装置２４が設けられている。特別図柄表示装置２４の左側には通過チャッカー３４が設けられており、この通過チャッカー３４を遊技球が通過すると特別図柄表示装置２４上方に設けられた普通図柄表示装置２５の表示図柄がランダムに変動を開始し、所定時間経過後その変動を停止し、その停止時の表示態様があらかじめ定められた図柄であるときに、特別図柄表示装置２４下方の始動入賞口３０が所定時間（例えば、０．５秒）開放されるように設けられている。そして、この始動入賞口３０に遊技球が入賞すると、特別図柄表示装置２４の特別図柄表示部２４ａがランダムに変動を開始し、所定時間経過後その変動を停止し、その停止時の表示態様があらかじめ定められた組み合せであるときに、大入賞口装置２８の開閉扉２６が、一定時間（例えば３０秒）あるいは遊技球が所定個数（例えば１０個）入賞するまで開放状態を続けるとともに、開閉扉２６内に設けられたＶ入賞口（図示省略）に入賞した場合には再度上記した開放動作を繰り返し、この開放動作を所定回数（例えば最大で１５回）繰り返すように設けられている。また、始動入賞口３０の左右には、遊技球が入賞する毎に所定数の賞球が排出される一般入賞口３２も配設されている。そして、遊技盤１６下部には外れ球が排出されるアウト口５６が開口されている。
【００２４】
また、前面枠１２の下方より前面には、後述する賞球払出装置６６から排出された遊技球を貯留し、発射位置に打球を誘導する上皿３８と、上皿３８の余剰球を貯留する下皿４０と、遊技球発射装置１８からの遊技球の発射の弾発力を調節する操作ハンドル４２等が設けられている。
【００２５】
パチンコ遊技機１０の裏面側には、図３に示すように、機枠４４にセット板４６が開閉自在に軸着されている。セット板４６の略中央には、遊技盤１６の遊技領域２２に対応する位置に配設される開口部４８が開口されている。また、遊技盤１６の遊技領域２２の裏面側には入賞球集合カバー体５０が取付けられている。
【００２６】
この入賞球集合カバー体５０には、大入賞口装置２８又は一般入賞口３２に入賞した入賞球を下方へ誘導する誘導通路５２、及び始動入賞口３０に入賞した入賞球を下方に誘導する誘導通路５４が配設されている。また、セット板４６の下方寄りには入賞球集合カバー体５０から落下するこれらの入賞球及び外れ球を一列に整列して流下させる遊技球集合部６９が形成されている。また、遊技盤１６の裏側面には、特別図柄表示装置２４や賞球払出装置６６等の各装置を制御する制御装置が取り付けられた制御基盤５５が配設されている。また、各入賞口２８，３０，３２には、図示は省略するが入賞球検出器が配設されており、これらの入賞検出器が遊技球の通過を検知すると、制御装置から送られる球排出信号により、予め定められた所定数の遊技球が賞球払出装置６６から排出されるように構成されている。
【００２７】
上記したセット板４６の背面側には、図４に示すように、各種の裏機構部品６０〜７２が設けられている。次いでこれらの各裏機構部品６０〜７０について説明する。セット板４６の上部には、パチンコ遊技機１０上方に配設された球補給樋５から供給される遊技球を貯留する賞球タンク６０が設けられており、この賞球タンク６０の下方には、賞球タンク６０から導出される遊技球を整列させ後述する賞球払出装置６６に流下させるタンクレール６２が設けられている。さらに、タンクレール６２からは下方に向けて上部案内路６４が設けられており、その流下端に賞球払出装置６６が接続されている。
【００２８】
この賞球払出装置６６は、制御装置からの各球排出信号に従って所定数の遊技球（具体的には、例えば、遊技球の入賞態様によって５個又は１５個、若しくは球貸し操作によって１００円当たり２５個）を落下させるものである。具体的には、賞球払出装置６６のハウジング内には球流路が設けられており、この球流路の途中には、制御装置からの信号により駆動されるステッピングモータによって回転駆動される球切り円盤が設けられている。球切り円盤には遊技球を１個ずつ収納して落下孔まで強制移動させる円孔が設けられており、球流路内を連続して流下する遊技球を所定数のみ払い出し、又は、その流下を停止状態とすることができる。そして、遊技球が各入賞口２８，３０，３２に入賞した場合に制御装置から送られる球排出信号により球切り円盤がステッピングモータにより駆動され、所定数の遊技球の流下が行われるように球切り円盤が駆動されるとステッピングモータの駆動が停止される。
【００２９】
また、賞球払出装置６６の下方には、賞球払出装置６６から排出された遊技球を上皿３８に導く下部案内路６８が設けられており、賞球払出装置６６から排出された遊技球はこの下部案内路６８を通じて上皿３８に供給される。また、図示しない球貸装置に硬貨やプリベイドカードが投入されて球貸し操作が行われた場合にも、同様に、賞球払出装置６６から所定数の遊技球が排出され上皿３８に遊技球が供給されることになる。
【００３０】
また、賞球払出装置６６から下方に向けてセット板４６の側方に沿って球抜樋７０が形成されている。この球抜樋７０は、賞球払出装置６６より上流側に貯留された遊技球を抜き出すために設けられており、店舗の営業時間終了時などにパチンコ遊技機１０内の遊技球を排出させることができる。
【００３１】
さらにまた、セット板４６の下方には上述したように遊技球集合部６９が設けられているが、この遊技球集合部６９の下部には、遊技球の出口である排出通路７２が設けられている。そして、この排出通路７２は、上記した島設備１の内部下方の球回収樋２に連通接続されており、排出通路７２から排出された遊技球は、球回収樋２から球揚送装置３へと搬送される。また、前記した球抜樋７０もこの排出通路７２に連通されており球抜樋７０から抜き出された遊技球も排出通路７２から排出されるように設けられている。
【００３２】
また、機枠４４の裏面下方には、上皿３８から供給される遊技球を遊技領域２２に弾発する遊技球発射装置１８が設けられている。この遊技球発射装置１８は、遊技球を弾発してガイドレール２０を経て遊技領域２２内に打ち出す打球杵１９と、この打球杵１９をベルト駆動するモータ７６とを備えている。
【００３３】
このように構成されたパチンコ遊技機１０では、上述したように球補給樋５から賞球タンク６０に遊技球が補給され、賞球タンク６０からタンクレール６２、上部案内路６４を経て賞球払出装置６６に流下される。そして、賞球払出装置６６の払い出し動作により、遊技態様に応じて所定数の遊技球が上皿３８に払い出される。そしてこの払い出された遊技球は、遊技球発射装置１８により遊技領域２２内に弾発発射されることになる。そしてまた、発射された遊技球は各入賞口またはアウト口５６から、遊技球集合部６９を経て排出通路７２からパチンコ遊技機１０外へ排出される。
【００３４】
次いで、図５に示すように、遊技球発射装置１８に設けられるモータ７４について説明する。モータ７４の駆動信号線８６には、センサの一例である磁気ピックアップ装置８８が取り付けられている。この磁気ピックアップ装置８８は、パチンコ機１０の制御基盤５５に設けられた計数装置８２に接続されている。そして、この磁気ピックアップ装置８８がモータ７４の駆動時の磁束を検出し、遊技球発射装置１８により発射された遊技球の発射数が、計数装置８２により計数されることになる。このような磁気ピックアップ装置８８は、遊技球発射装置１８ではなく、賞球払出装置６６のステッピングモータ等、他の構成部品の駆動モータに取り付けても良く、また、遊技球発射装置１８と共に他の構成部品の駆動モータにも併せて取り付けても良い。
【００３５】
図６に示すように、計数装置８２により計数された計数値（稼働時間）は、パチンコ機１０外に設置される中継装置９０に送られる。中継装置９０は、所定台数のパチンコ機１０毎に設けられており、さらにこれらの中継装置９０は集中処理端末９２を経て、通信制御部９６により公衆回線網１００に接続される。また、他の店舗においても同様に構成されたパチンコ遊技機１０が中継装置９０を介して集中処理端末９２を経て公衆回線網１００に接続される。
【００３６】
なお、携帯端末９４を用いて公衆回線網１００に接続することとしても良い。また、上記した計数装置８２と中継装置９０、または中継装置９０と集中処理端末９２若しくは携帯端末９４とは、無線により接続することとしてもよい。また、公衆回線網１００の代わりに専用回線を用いてもよい。なお、磁気ピックアップ装置８８に代えて、図７に示すように、モータ７４に取り付けられた振動ピックアップ装置８０を用いるなど、他のセンサを用いて稼働時間を検出することも考えられる。
【００３７】
そして、集中処理端末９２は、公衆回線網１００を介して、図８に示すような中央サーバ１０２に接続されている。中央サーバ１０２は通信装置（モデム）１０４を介して公衆回線に接続されており、また、補助記憶装置（ＨＤ）１０６を備えている。また、ディスプレイ１０８、プリンタ１１０等の出力装置１１２、及びマウス１１４、キーボード１１６等の入力装置１１８と接続されている。そしてこれらの通信装置１０４、補助記憶装置１０６、出力装置１１２、入力装置１１８は、中央処理装置１１９にそれぞれ接続されている。
【００３８】
以上のように構成されたパチンコ機構成部品の使用可否判別処理システム１２０においては、構成部品の使用可否は以下のように判別処理される。まず、図９はデータ登録処理を示すフローで、各店舗毎に各パチンコ機（台）１０毎の各構成部品について、その稼働時間等を中央サーバ１０２のデータベースに対してデータ登録処理を行う。中央サーバ１０２は、公衆回線網１００を介して集中処理端末に接続する（ステップ１。以下単に「Ｓ１」等とする。）各パチンコ機１０を識別（Ｓ２）した後、当該パチンコ機１０の稼働時間をデータベースに登録する（Ｓ３）。このデータはパチンコ機の各構成部品について行われ（Ｓ４）、店舗内パチンコ機の全台について行われ（Ｓ５）、更に全店舗のパチンコ機について行われ（Ｓ６）れる。稼働時間の取得は、上記したように磁気ピックアップ装置８８を用いて計数装置８２等を介して取得される。このようにして、中央サーバ１０２は各店舗毎、各パチンコ機１０毎に稼働時間を取得する（Ｓ４〜Ｓ６）。このようにして、データベースに各店舗毎、各パチンコ機台毎、各構成部品毎について、稼働時間が取得される「データ登録処理」が行われる。
【００３９】
データ登録処理が行われるデータベースは、以下のように構成されている。表１に示すように、顧客のデータベースは、顧客コードと店舗数分（aa〜bb）の店舗コードで構成される。これらの顧客コードと店舗コードの組み合わせで個別店舗の識別を行う。
【表１】
0004478858.tif 000002
表２に示すように、店舗のデータベースは、顧客コード、店舗コード、各店舗の営業時間、設置されている台数分のパチンコ機１０の製造番号で構成される。各製造番号によって個別のパチンコ機１０の識別を行う。なお、営業時間は営業中稼動している部品の稼働時間の積算に使用する。
【表２】
0004478858.tif 000003
表３に示すように、台のデータベースは、製造番号、機種コード、構成部品数分の稼働時間で構成される。この台のデータベースで個別の構成部品の稼動を管理する。このうち機種コードにより構成部品コードと数の情報を得ることができる。
【表３】
0004478858.tif 000004
表４に示すように、機種データベースは、機種コード、構成部品数分の部品コードで構成される。これによりパチンコ機１０の機種単位の構成部品を管理する。
【表４】
0004478858.tif 000005
表５に示すように、構成部品データベースは、部品コード、使用可能時間、交換すべき時間で構成される。使用可能時間は台を入れ替える時や長期の稼動を行っている時に、部品を交換しなければいけない時間である。交換すべき時間は台を入れ替える時、交換時間以内では有るがこの時間を超えた場合は部品を交換しなければならない時間である。このようにして全体のデータベースが構成されている。
【表５】
0004478858.tif 000006
【００４０】
次いで、取得された稼働時間と交換すべき時間テーブルとを比較して、各構成部品の継続使用の可否、すなわち再利用の可否を判別する「リユース処理」について説明する。図１０に示すように、中央サーバ１０２に記憶された各店舗、各パチンコ機１０の各構成部品毎の稼働時間のデータベースが読み込まれる（Ｓ１０）。次いで、中央サーバ１０２の補助記憶装置１０６に記憶されている各構成部品毎の交換すべき時間テーブルと比較が行われる（Ｓ１１）。データベースに記憶されている値（稼働時間）が、交換すべき時間テーブルを超えている場合には交換すべき時間を超えているものとして、当該構成部品については廃棄すべきである旨の表示を出力装置１１２に表示するとともにデータベースを更新する（Ｓ１２）。データベースに記憶されている値が、交換すべき時間テーブル以下である場合には交換すべき時間を超えていないものとして、当該構成部品を再利用可能である旨の表示を出力装置１１２に表示する（Ｓ１３）。この処理を各店舗の各パチンコ機の構成部品毎に行う（Ｓ１４、Ｓ１５）。
【００４１】
次いで、図１１はパチンコ機１０の構成部品について、継続して使用可能か交換すべき時期が到来しているかを判別し交換部品の選別を行う「警告表示処理」についてのフローである。前記図９のデータ登録処理に従い登録された、中央サーバ１０２に記憶された各店舗、各パチンコ機１０の各構成部品毎の稼働時間のデータベースが読み込まれる（Ｓ２０）。次いで、中央サーバ１０２の補助記憶装置１０６に記憶されている各構成部品毎の使用可能時間テーブルと比較が行われる（Ｓ２１）。データベースに記憶されている値が、使用可能時間テーブルを超えている場合には使用可能時間を超えているものとして、当該構成部品については交換フラグをセットする（Ｓ２２）。この処理を各店舗の各パチンコ機の構成部品毎に行う（Ｓ２３、Ｓ２４）。そして、交換フラグがセットされた構成部品について、交換すべき部品であるとの警告表示を出力装置１１２に表示する（Ｓ２５）。
【００４２】
上記した警告表示は、中央サーバ１０２では、例えば以下のようになされる。中央サーバ１０２のディスプレイ１０８には、表６のように、交換する部品のある「顧客名」とその「店舗名」が表示される報知画面が表示される。交換する部品の無い顧客はこのような表示はなされない。
【表６】
0004478858.tif 000007
表６に示す「顧客名」をマウスでクリックすると、表７に示すように、交換する部品のある「店舗名」が表示される。この報知画面には顧客名も表示される。交換する部品の無い店舗については表示されない。
【表７】
0004478858.tif 000008
さらに、表６または表７の「店舗名」をクリックすると、表８のように交換する部品のある「機種名」と「製造番号」が表示される。報知画面には、顧客名、店舗名も表示される。交換部品の欄には「全部」または「一部」の区別が表示される。
【表８】
0004478858.tif 000009
表８の「機種名」をクリックすると、表９のように交換する部品のある「製造番号」が表示される。報知画面には、顧客名、店舗名、機種名も表示される。「交換部品」の欄には「全部」または「一部」の区別が表示される。
【表９】
0004478858.tif 000010
表８または表９の「交換部品(一部)」をクリックすると、表１０のように交換すべき「交換部品」が表示される。なお、表８または表９の「交換部品」の欄が「全部」の場合はクリックしてもこの表示はされない。報知画面には、顧客名、店舗名、機種名、製造番号も表示される。
【表１０】
0004478858.tif 000011
印刷帳票は表６から表１０のそれぞれの印刷と共に、表１１のように「顧客名」「店舗名」「機種名」「製造番号」「交換部品（「全部」または「一部」）」を一括して印刷することもできる。
【表１１】
0004478858.tif 000012
【００４３】
また、集中処理端末または携帯端末での警告表示は、例えば以下のようになされる。表１２のように交換する部品のある「機種名」と「製造番号」が表示される。また、「交換部品」の欄が「全部」または「一部」の区別とともに表示される。
【表１２】
0004478858.tif 000013
表１２の「機種名」をクリックすると、表１３のように交換する部品のある「製造番号」が「機種名」とともに表示される。「交換部品」の欄は「全部」または「一部」の区別が表示される。
【表１３】
0004478858.tif 000014
表１２または表１３の「交換部品(一部)」をクリックすると、表１４のように交換すべき「交換部品」が表示される。表１２または表１３の「交換部品」の欄が「全部」の場合はクリックしてもこの表示はされない。報知画面には機種名と製造番号も表示される。
【表１４】
0004478858.tif 000015
印刷帳票は、表１２から表１４の印刷と共に表１５のように「機種名」「製造番号」「交換部品（「全部」または「一部」）」を一括して印刷することもできる。
【表１５】
0004478858.tif 000016
また、表１６のように、部品交換指示書として、製造番号に続いて交換する必要のある「交換部品」名が印刷される。
【表１６】
0004478858.tif 000017
【００４４】
なお、「データ登録処理」の別の例として、図１２に示すフローを実施してもよい。中央サーバ１０２は、公衆回線網１００を介して集中処理端末に接続する（Ｓ３１）各パチンコ機１０を識別（Ｓ３２）した後、当該パチンコ機１０の各構成部品について、稼働時間の有無を調べる（Ｓ３３）。稼働時間が存在する場合にはその稼働時間を当該パチンコ機１０毎に中央サーバ１０２のデータベースに登録し（Ｓ３４）、稼働時間が存在しない場合には店舗の営業時間をデータベースに登録する（Ｓ３５）。稼働時間の取得は、上記したように磁気ピックアップ装置８８を用いて計数装置８２等を介して取得される。営業時間の情報は、例えば、各店舗の集中処理端末９２からパチンコ機１０の電源投入時から電源断時までの時間数として取得する。このようにして、中央サーバ１０２は各店舗毎、各パチンコ機１０毎に各構成部品の稼働時間（又は営業時間をその稼働時間とする時間）を取得する（Ｓ３６〜Ｓ３８）。
【００４５】
また、「リユース処理」と「警告表示処理」を併せて行う「全判断処理」を行う例として図１３に示すフローを実施してもよい。前記図９や図１２のデータ登録処理に従い登録された、中央サーバ１０２に記憶された各店舗、各パチンコ機１０の各構成部品毎の稼働時間のデータベースが読み込まれる（Ｓ４１）。次いで、中央サーバ１０２の補助記憶装置１０６に記憶されている各構成部品毎の交換すべき時間テーブルと比較が行われる（Ｓ４２）。データベースに記憶されている値（稼働時間）が交換すべき時間テーブルを超えている場合には、交換すべき時間を超えているものとして当該構成部品については交換すべきフラグをセットする（Ｓ４３）。稼働時間が交換すべき時間以下である場合には、交換すべきフラグはセットされない。次いで、中央サーバ１０２の補助記憶装置１０６に記憶されている各構成部品毎の使用可能時間テーブルと比較が行われる（Ｓ４４）。データベースに記憶されている値が使用可能時間テーブルを超えている場合には、使用可能時間を超えているものとして当該構成部品については交換フラグをセットする（Ｓ４５）。稼働時間が使用可能時間以下である場合には、交換フラグはセットされない。このような処理を台の総ての構成部品について行い（Ｓ４６）、さらに総ての台について行う（Ｓ４７）。そして、交換フラグ、交換すべきフラグがセットされた構成部品について、交換部品の警告表示を出力装置１１２に表示する（Ｓ４８）。なお、この警告表示については、交換すべき時間を超えている構成部品と使用可能時間を超えている構成部品とを混同しないように、両者を異なる態様で表示するようにして明確に区別できるようにすることが好ましい。
【００４６】
次いで、上記した実施の形態から把握できる、請求項に記載した以外の技術的思想について説明する。上記した例では、クラインアント側端末（集中処理端末９２）及びこれと回線接続した中央サーバ１０２を用いることとしているが、パチンコ機１０単独でこのような処理システムを構築することもできる。この場合において、パチンコ機１０内の制御基板５５において、パチンコ機１０の各構成部品の交換すべき時間テーブルを記憶した記憶装置を設け、また、計数装置の計数値と、交換すべき時間テーブルとの比較は、制御基板５５に設けられた中央処理装置により行う。そして、例えば、パチンコ機１０内に各構成部品毎に廃棄時期を示すＬＥＤを設けたり、パチンコ機の稼働時間を表示することにより、各構成部品について再利用可能か否かの判断をすることができる。このようなパチンコ機１０では、クライアント側端末９２や中央サーバ１０２を必要としない。
【００４７】
また、中央サーバ１０２を用いず、クライアント側において、例えば集中処理端末９２を用いて、計数装置の計数値と交換すべき時間テーブルとの比較処理等を行うこととすることもできる。この場合には、中央サーバ１０２を必要としない。
【００４８】
上記のように、センサの取り付けられていない構成部品については、実際の正確な稼働時間の把握はできないのであるが、センサの取り付けられている構成部品については、センサによりその稼働時間を把握できる。よって、センサの取り付けられている構成部品の正確な稼働時間から、センサの取り付けられていない構成部品の稼働時間を推測することにより、センサの取り付けられていない構成部品についてもより正確な稼働時間の把握が容易となる。ここで、センサが取り付けられていない構成部品であってセンサが取り付けられた構成部品から把握できる稼働時間を基にその稼働時間を把握すべき構成部品について、その稼働時間を算出するにあたっては、センサが取り付けられた構成部品の稼働時間をその「実稼働時間」とみなすほかに、センサが取り付けられた構成部品（例えば発射装置）の一定の稼働時間に対して、センサが取り付けられていない構成部品が平均的に稼働される時間の比率が判明している場合には、センサから把握できる稼働時間に一定の係数を掛けることにより、その構成部品の「実稼働時間」に近い時間をその稼働時間として用いる変形例も可能である。この場合には、センサが取り付けられていない構成部品が、使用可能時間内で「実際にどれだけ稼働されているか」も把握でき、使用可否判別処理に有効である。
【００４９】
また、パチンコ機構成部品の使用可否判別処理システム、パチンコ機構成部品の使用可否判別処理クライアントシステム又はパチンコ機構成部品の使用可否判別処理サーバシステムにおいて、前記センサが、賞球払出装置の駆動モータに取り付けられてその稼働時間を計測することも考えられる。
【００５０】
パチンコ機の賞球は、構成部品の使用時間が問題となるような長時間の稼働時間（遊技者が遊戯している時間）内では、ほぼ平均した数の払い出しが行われている。よって、このように賞球払出装置の駆動モータ又はこの駆動モータへの配線にセンサを取り付け、駆動モータの稼働時間を計測することとすると、一定の正確性をもってパチンコ機の実際の稼働時間を把握することも可能である。
【００５１】
次に、第二の実施の形態を図１３から図２０を参考にして詳細に説明する。図１３はパチンコ機の使用可否判別処理システムの概略構成図、図１４は店舗における全パチンコ機の稼働状況をサーバに送信するパチンコ機の使用可否判別処理システムの概略構成図、図１５はパチンコ機の正面図、図１６は前扉カバー及び前扉基部を取り外した状態のパチンコ機の正面図、図１７は前扉カバーの正面図、図１８は前扉カバー及び前扉基部の背面側斜視図、図１９は盤面部の正面図、図２０はパチンコ機の背面図である。
【００５２】
図１３において、サーバ１は入出力制御部１０１と通信制御部１０２とを備え、受注処理部１０８、納品処理部１１１と売上処理部１０６、売上ＤＢ１０７、生産計画処理部１１０、在庫ＤＢ１０４、顧客管理部１１２、クレーム処理部１１５、遊技店ＤＢ１１３、廃棄処理部１１４及びパチンコ機部品ＤＢ１０３（機種別）とを内部機能として備える。また、図示は省略するが、各端末２，３には入力装置及び出力装置が備えられている。
【００５３】
サーバ１の入出力制御部１０１は、パチンコ機供給業者（パチンコ機販売会社等）の端末２の入力装置及び出力装置の入出力の制御を行い、また、通信制御部１０２は、複数のパチンコ機設置業者（パチンコホール等）の端末３との通信を制御する。また、図１４に示すように各遊技店５に設置された島７内のそれぞれのパチンコ機８は、ハブ６を介して端末３と接続されている。そして、セキュリティのため、コンピュータネットワーク４の信号が入ってくるサーバ１の入口外部に、図示しないファイアーウォールを配置する。図１３においては、サーバ１がパチンコ機８の使用可否判別処理システムの全処理を行っているが、以下の各構成も含めてこのサーバ１の行う各処理は、複数のサーバに分散させて行わせてもよい。
【００５４】
パチンコ機設置業者が遊技店５にパチンコ機８を設置するに際しては、予め以下の「取引手続き」を行う。まず、パチンコ機設置業者が自己の端末３からサーバ１にアクセスし、取引処理部１０９において処理される種々の入力項目を入力する。
【００５５】
パチンコ機設置業者は、パチンコ機設置業者毎に定められている専用のＩＤを入力した後、サーバ１の取引処理部１０９を読み込んで、端末３の表示装置に表示される取引手続画面の盤面部１０、メイン基板１６、前扉カバー１７、上皿装置１８及び外枠１９の購入欄に、設置台数、設置日を入力し、それによって自動計算される盤面部１０、メイン基板１６、前扉カバー１７、上皿装置１８及び外枠１９総購入価格の項目にチェックマークを入力し、次いで数種類ある支払い方法の項目から自らの定めた支払い方法を選択してチェックマークを入力する。
【００５６】
パチンコ機供給業者は、上記盤面部１０、メイン基板１６、前扉カバー１７、上皿装置１８及び外枠１９購入欄への入力後、引き続き、該パチンコ機８が使用済みパチンコ機８となった場合の廃棄手続き及び筐体内枠部９及び筐体前枠部１５の返還についての手続きを定める。
【００５７】
ここで、本例における使用済みパチンコ機８の処理方法について説明する。パチンコ機８は図１５から図２０にしめすように、筐体内枠部９、筐体前枠部１５、盤面部１０、メイン基板１６、前扉カバー１７、上皿装置１８及び外枠１９などの部・装置・ユニット等適宜の単位で区分し、これらの単位毎にリユース・リサイクル・廃棄処分のいずれによって処理するかが決定される。また、本例では、各パチンコ機８の機種毎に異なるデザインや機能を備えた部・装置等はパチンコ機供給業者からパチンコ機設置業者が購入することとしている。例えば、図１６及び図１９に示すように、盤面部１０は各パチンコ機８の機種毎に、その視覚的効果等ゲームの興趣を高めるために、役物装置１２、図柄表示装置１３、レール装置１４等を異ならせており、このためパチンコ機８の入れ替えを行う場合には、通常はこれらを再度用いることはできない。同様に、図柄表示装置１３を制御するメイン基板１６や、各機種に特有のデザインが施される前扉カバー１７や上皿装置１８も通常は再度用いることはできない。よって、機種に特有の装飾や画像表示措置等を備えた盤面部１０、メイン基板１６、前扉カバー１７、上皿装置１８及び外枠１９等はパチンコ機設置業者が購入することとしている。
【００５８】
一方、各パチンコ機に共通して用いることのできる部・装置等はパチンコ機供給業者からパチンコ機設置業者に無償貸与することとしている。例えば、図１５から図２０に示すような、払出装置２０、電源装置２１等の筐体部内枠部９や、前扉基部２２、下皿装置２３、発射装置１１等の筐体前枠部１５等は、パチンコ機の機種毎に共通して用いることが可能な部位であり、パチンコ機８の機種の入れ替えを行っても、実質的には変更のない部位である。よって、他の機種にも共通して用いることが可能な筐体内枠部９及び筐体前枠部１５は、パチンコ機８が遊技店５に設置され、その後使用済みパチンコ機８として島７から取り外されるまではパチンコ機供給業者が無償貸与することとされている。
【００５９】
このように、他の機種にも共通して用いることのできる筐体内枠部９及び筐体前枠部１５等を貸与することとしているので、筐体内枠部９及び筐体前枠部１５等をパチンコ機設置業者に譲渡してしまう場合に比べて当該筐体内枠部９及び筐体前枠部１５等を円滑・確実に回収することができる。そして、上記したように、各パチンコ機に共通して用いることのできる単位である筐体内枠部９及び筐体前枠部１５等を円滑・確実に回収することにより、従来、不必要に交換せざるを得なかった筐体内枠部９及び筐体前枠部１５等のリユース可能な単位について、修理・清掃などの後に他の機種のパチンコ機に利用することができる。よって、パチンコ機８の製造コストを低減させることが容易となる。また、パチンコ機８の部品等の在庫を削減することができるので在庫管理費用も低減させることができる。
【００６０】
このようにパチンコ機８を管理するシステムにおいて、使用済みパチンコ機８の廃棄手続き及び筐体内枠部９及び筐体前枠部１５の返還について、以下のように処理を行う。パチンコ機供給業者からパチンコ機設置業者に無償貸与される筐体内枠部９及び筐体前枠部１５の、パチンコ機供給業者への返還予定日（更新可）を入力する。また、瑕疵担保責任の項目及びパチンコ機設置業者が購入した盤面部１０、メイン基板１６、前扉カバー１７、上皿装置１８及び外枠１９をパチンコ機供給業者が無償で譲渡されたうえで廃棄することについての同意の項目にチェックマークを記入する。盤面部１０、メイン基板１６、前扉カバー１７、上皿装置１８及び外枠１９については、上記したようにパチンコ機供給業者からパチンコ機設置業者に対して譲渡されるのであるが、パチンコ機８が使用済みとなった時点で、当該使用済みパチンコ機８の盤面部１０、メイン基板１６、前扉カバー１７、上皿装置１８及び外枠１９についてパチンコ機供給業者が引き取り、リサイクル・廃棄を行うために、予め、盤面部１０、メイン基板１６、前扉カバー１７、上皿装置１８及び外枠１９の譲渡予約契約を結んでおくものである。更に、パチンコ機供給業者が同じ遊技店５においてパチンコ機８を移動させた場合や、所有する他の遊技店５にパチンコ機８を移動させた場合には、パチンコ機供給業者へ連絡する項目にチェックマークを記入する。これにより、当該パチンコ機８が当初の遊技店５から移動された場合にも、その稼動状態を把握することができる。上記を全て記入した後、サーバ１の受注処理部１０８へ送信することで取引手続きが完了する。
【００６１】
受注処理部１０８は、パチンコ機設置業者からの取引手続きにおける入力項目にしたがって売上ＤＢ１０７を更新し、取引手続き毎に該売上ＤＢ１０７のテーブル（図示せず）に格納する。そして、受注台数を発注処理部１０５に送信する。受注処理部１０８より受注台数を受信した発注処理部１０５は、パチンコ機部品ＤＢ１０３及び在庫ＤＢ１０４によって在庫引当を行い、必要数の部品をパチンコ機供給業者の外注宛に発注処理を行う。そして、この受注情報を生産計画処理部１１０に送る。生産計画処理部１１０は、受注によって生産計画を変更しなければならないか否かの判断を行う。また、受注処理部１０８は納品処理部１１１へパチンコ機設置業者名、納入台数、納期等を送信する。納品処理部１１１では受注処理部１０８から受信した、パチンコ機設置業者名、納入台数、納期に基づいてパチンコ機供給業者の各部署（例えば倉庫部、搬送部、設置部等）に指示するように処理する。
【００６２】
顧客管理部１１２は、新たな顧客に前記顧客ＩＤを付与したり、パチンコ機設置業者が新たに遊技店５を開店した場合、納入先住所の追加処理等を行う。更に顧客管理部１１２は盤面部１０、メイン基板１６、前扉カバー１７、上皿装置１８及び外枠１９の売上管理を行い、取引手続きによって定められた支払い方法どおりに金額が入金されているかを管理する。
【００６３】
また顧客管理部１１２は、各パチンコ機８の稼働時間データを管理する。パチンコ機８の稼動時間データは、各パチンコ機８の発射装置１１内に取り付けられたセンサーにより、発射装置１１を発射操作している時間の積算時間から計算する。この使用可否判別処理システムによれば、発射装置１１の操作時間からパチンコ機８の稼動時間データを計算しているので、実際にそのパチンコ機８を用いて遊技が行われた時間とほぼ正確な時間を計算することができる。よって、単に電源を投入した時間から計算する場合等に比べて、遊技球が接触する部位を有する装置や可動部を有する装置等の劣化をより正確に予測してそれらの装置等の使用可能時間の到来を判断できる。
【００６４】
そして、遊技店ＤＢ１１３にはパチンコ機設置業者が送信してきた上記遊技店５内でのパチンコ機の移動、更にはパチンコ機設置業者が複数の遊技店５を有していて、他の遊技店５にパチンコ機８を移動した場合のデータを含めて各パチンコ機８の稼動時間データを遊技店ＤＢ１１３に記憶させる。
【００６５】
また、顧客管理部１１２は、取引手続きによって定められた設置期限が近づいてくると該設置期限を更新するか否かの確認要請が必要な顧客ＩＤを表示する。これらの処理に従って、必要な顧客ＩＤ宛に電子メール等で設置期限の更新の是非について自動的に通知することとしてもよい。パチンコ機設置業者がパチンコ機供給業者に対して、現在設置しているパチンコ機８の設置期限を更新しないか、または設置期限前にパチンコ機８の使用を停止する旨のデータを送信してきた場合には、顧客管理部１１２は、パチンコ機供給業者が無償貸与した筐体内枠部９及び筐体前枠部１５については所有権者として、譲渡した盤面部１０、メイン基板１６、前扉カバー１７、上皿装置１８及び外枠１９についてはリサイクルまたは廃棄処分を委任された業者として、パチンコ機供給業者がパチンコ機８を設置してある遊技店５から引き取るように廃棄処理部１１４に該当するパチンコ機８のデータを送る。
【００６６】
廃棄処理部１１４は、上記データを受信すると、該使用済みパチンコ機８の盤面部１０、メイン基板１６、前扉カバー１７、上皿装置１８及び外枠１９について、パチンコ機部品ＤＢから受け取る部品等の情報により分別処理手順を表示し、さらに、分別された各部品等毎にリサイクルまたは廃棄処分の区別を出力装置に表示する。また、廃棄処理部１１４は、素材廃棄基準を有しており、部品を構成する素材についても廃棄するか否かを指示する。廃棄処理部１１４によってリユース可能と判断された装置、ユニットは筐体内枠部９や筐体前枠部１５の構成単位として再びリユース可能と判断されると、機台別識別コードを更新し、在庫ＤＢ１０４に送信される。在庫ＤＢ１０４は新品在庫以外の部品について全て履歴データを有している。
【００６７】
また、遊技店ＤＢ１１３から受け取ったパチンコ機８の稼動時間データによって、パチンコ機供給業者が無償貸与している筐体内枠部９及び筐体前枠部１５を構成する装置、ユニット、部品毎に、順次、リユース、リサイクルまたは廃棄の要否判断を行う。リユースを行う全ての部品には最長使用時間が定められており、機台別識別コードが付与されている。また、部品毎、装置毎に最大リユース回数が決められている。これらの最長部品使用時間、最大リユース回数を越えた部品、或いはリユース時に最長部品使用時間を越えそうな部品については、上記盤面部１０等と同様に、リサイクルまたは廃棄処分の区別を出力装置に表示する。
【００６８】
クレーム処理部１１５は、パチンコ機設置業者から製造メーカであるパチンコ機供給業者に対する質問及び該質問に対する回答を行う。例えば、パチンコ機８の稼働率が低い遊技店５に対して、１分間当たりの図柄変動数と釘ピッチの関係をアドバイスしたり、設置したパチンコ機８の接続端子がはずれた場合に該端子の接続箇所を連絡する等、パチンコ機についての取扱説明及び技術説明を詳しく行うことができる。
【００６９】
【発明の効果】
本発明は上記のように構成されているので、パチンコ機の稼働時間をより正確に判別し、円滑に無駄なくリユースを行うことができる。また、パチンコ機の部品について、使用可能時間を超えたりした交換すべき部品を容易に選別処理することができる。
【００７０】
また、特に請求項７に記載の発明にあっては、磁気ピックアップ装置を用いて稼働時間を計測するので、特に、振動、静電気、音声などのレベルが高いパチンコ機ではこれらの振動等を計測するよりも、より正確に計測が可能であり、構成部品の稼働時間をより正確に計測できるので、構成部品について一層再利用を容易にし、交換時期を適切に把握することができる。
【図面の簡単な説明】
【図１】パチンコ遊技機が複数台設置される島設備全体の正面図である。
【図２】パチンコ遊技機の正面図である。
【図３】セット板を開放した状態のパチンコ遊技機内部背面図である。
【図４】セット板を閉めた状態のパチンコ遊技機の内部背面図である。
【図５】磁気ピックアップ装置を駆動信号線に取り付けた駆動モータの斜視図である。
【図６】クライアント側システムのブロック図である。
【図７】振動ピックアップ装置を取り付けた駆動モータの斜視図である。
【図８】サーバ側システムのブロック図である。
【図９】パチンコ機のデータ登録処理のフローチャートである。
【図１０】パチンコ機のリユース処理のフローチャートである。
【図１１】パチンコ機の警告表示処理のフローチャートである。
【図１２】パチンコ機の別のデータ登録処理のフローチャートである。
【図１３】リユース処理と警告表示処理を併せて行う全判断処理のフローチャートである。
【図１４】本発明のパチンコ機の使用可否判別処理システムの概略構成図である。
【図１５】パチンコ機の使用可否判別処理システムのパチンコ機設置業者側の詳細を示す概略構成図である。
【図１６】パチンコ機の正面図である。
【図１７】前扉カバー及び前扉基部を取り外した状態のパチンコ機の正面図である。
【図１８】前扉カバーの正面図である。
【図１９】前扉カバー及び前扉基部の背面側斜視図である。
【図２０】盤面部の正面図である。
【図２１】パチンコ機の背面図である。
【符号の説明】
１；島設備、２；球回収樋、３；球揚送装置、４；球タンク、５；球補給樋、１０；パチンコ遊技機、１２；前面枠、１４；ガラス扉枠、１６；遊技盤、１８；遊技球発射装置、１９；打球杵、２０；ガイドレール、２２；遊技領域、２４；特別図柄表示装置、２４ａ；特別図柄表示部、２５；普通図柄表示装置、２６；開閉扉、２８；大入賞口装置、３０；始動入賞口、３２；一般入賞口、３４；通過チャッカー、３８；上皿、４０；下皿、４２；操作ハンドル、４４；機枠、４６；セット板、４８；開口部、５０；入賞球集合カバー体、５２；誘導通路、５４；誘導通路、５５；制御基盤、５６；アウト口、６０；賞球タンク、６２；タンクレール、６４；上部案内路、６６；賞球払出装置、６８；下部案内路、６９；遊技球集合部、７０；球抜樋、７２；排出通路、７４；モータ、８０；振動ピックアップ装置、８２；計数装置、８６；駆動信号線、８８；磁気ピックアップ装置、９０；中継装置、９２；集中処理端末、９４；携帯端末、９６；通信制御部、１００；公衆回線網、１０２；中央サーバ、１０４；通信装置、１０６；補助記憶装置、１０８；ディスプレイ、１１０；プリンタ、１１２；出力装置、１１４；マウス、１１６；キーボード、１１８；入力装置、１１９；中央処理装置、１２０；使用可否判別処理システム。
１；サーバ、２；パチンコ機供給業者端末、３；パチンコ機設置業者端末、４；コンピュータネットワーク、５；遊技店、６；ハブ、７；島、８；パチンコ機、９；筐体内枠部、１０；盤面部、１１；発射装置、１２；役物装置、１３；図柄表示装置、１４；レール装置、１５；筐体前枠部、１６；メイン基板、１７；前扉カバー、１８；上皿装置、１９；外枠、２０；払出装置、２１；電源装置、２２；前扉基部、２３；下皿装置、１０１；入出力制御部、１０２；通信制御部、、１０３；パチンコ機部品ＤＢ、１０４；在庫ＤＢ、１０５；発注処理部、１０６；売上処理部、１０７；売上ＤＢ、１０８；受注処理部、１０９；取引処理部、１１０；生産計画処理部、１１１；納品処理部、１１２；顧客管理部、１１３；遊技店ＤＢ、１１４；廃棄処理部、１１５；クレーム処理部。
【図１】
0004478858.tif 000018
【図２】
0004478858.tif 000019
【図３】
0004478858.tif 000020
【図４】
0004478858.tif 000021
【図５】
0004478858.tif 000022
【図６】
0004478858.tif 000023
【図７】
0004478858.tif 000024
【図８】
0004478858.tif 000025
【図９】
0004478858.tif 000026
【図１０】
0004478858.tif 000027
【図１１】
0004478858.tif 000028
【図１２】
0004478858.tif 000029
【図１３】
0004478858.tif 000030
【図１４】
0004478858.tif 000031
【図１５】
0004478858.tif 000032
【図１６】
0004478858.tif 000033
【図１７】
0004478858.tif 000034
【図１８】
0004478858.tif 000035
【図１９】
0004478858.tif 000036
【図２０】
0004478858.tif 000037
【図２１】
0004478858.tif 000038